(57)【要約】【課題】  複数台接続したときの待機時消費電力を低減できる表示装置を提供することである。【解決手段】  他の表示装置と接続されていることが検出された場合、待機状態設定に応じて待機状態を変化させることを特徴とする構成とした。【選択図】  図１
2014021415.tif 000002
【特許請求の範囲】
【請求項１】
少なくとも２つ以上の待機状態と、
前記待機状態を設定する待機状態設定手段と、
他の表示装置と接続されていることを検出する接続検出手段を備える表示装置であって、
前記接続検出手段において接続が検出された場合、
前記待機状態設定手段による設定に応じて待機状態を変化させることを特徴とする表示装置。
【請求項２】
前記表示装置は、前記他の表示装置を認証する認証手段を有し、接続された前記他の表示装置を前記接続検出手段により検出した後、前記認証手段により認証を行うことを特徴とする請求項１に記載の表示装置。
【請求項３】
前記表示装置は、前記少なくとも２つ以上の待機状態として、単体で使用される場合に使用しうる第１の待機状態と、前記第１の待機状態と異なる第２の待機状態とを有し、前記接続検出手段による検出結果および前記待機状態設定手段による設定に応じて、前記表示装置の待機状態を前記第１の待機状態と前記第２の待機状態とで変化させることを特徴とする請求項１に記載の表示装置。
【請求項４】
前記第２の待機状態は、前記第１の待機状態に比べ待機時消費電力が少ないことを特徴とする請求項１に記載の表示装置。
【請求項５】
前記表示装置は、前記待機状態設定を記憶する記憶手段を有することを特徴とする請求項１に記載の表示装置。
【請求項６】
前記表示装置は、前記他の表示装置と通信できる通信手段を有することを特徴とする請求項１に記載の表示装置。
【請求項７】
前記表示装置は、ネットワークを介して通信を行うネットワーク通信手段を備えることを特徴とする請求項１に記載の表示装置。
【発明の詳細な説明】
【技術分野】
【０００１】
本発明は、表示装置に関し、特に待機時の消費電力削減に関するものである。
【背景技術】
【０００２】
従来、表示装置を複数台接続し、画像を繋ぎ合わせるように表示することで大画面を実現するマルチディスプレイシステムが知られている。
【０００３】
例えば、特許文献１では表示装置が、他の表示装置の接続を検出、認証し、成功した場合に、その機能を変化させることで大画面表示を行う技術が開示されている。
【先行技術文献】
【特許文献】
【０００４】
【特許文献１】特開２００３−１９５８４３号公報
【発明の概要】
【発明が解決しようとする課題】
【０００５】
しかしながら、上述の特許文献に開示された従来技術では、それぞれの表示装置が待機時における機能を変化させないため、機能に冗長さを持つことになり無駄な待機電力を消費してしまう。
【０００６】
特に各々の表示装置がローカルエリアネットワーク（ＬＡＮ）などの比較的消費電力の多いネットワーク機能を備える場合、多くの無駄な待機電力を消費してしまう問題がある。
【０００７】
そこで、本発明の目的は、複数台接続したときの待機時消費電力を低減できる表示装置を提供することである。
【課題を解決するための手段】
【０００８】
上記目的を達成するために、本発明は、
少なくとも２つ以上の待機状態と、
前記待機状態を設定する待機状態設定手段と、
他の表示装置と接続されていることを検出する接続検出手段を備える表示装置であって、
前記接続検出手段において接続が検出された場合、
前記待機状態設定手段による設定に応じて待機状態を変化させることを特徴とする。
【発明の効果】
【０００９】
本発明によれば、接続検出手段において接続が検出された場合、待機機能設定手段による設定に応じて待機状態を変化させることで、表示装置を複数台接続したときの待機時消費電力を低減できる。
【図面の簡単な説明】
【００１０】
【図１】本発明の実施例である液晶プロジェクタを使用した表示システムの概観図
【図２】本発明の実施例である液晶プロジェクタのブロック図
【図３】本発明の実施例である液晶プロジェクタの動作を示すフローチャート
【発明を実施するための形態】
【００１１】
以下に、本発明の好ましい実施の形態を、添付の図面に基づいて詳細に説明する。
【実施例】
【００１２】
図１は本発明の実施例である液晶プロジェクタを使用した表示システムの概観図を示している。
【００１３】
図１に示すように、液晶プロジェクタ１の画像入力端子５は画像出力装置４と接続され、スクリーン２に画像が投射される。またネットワーク接続端子６はネットワーク３と接続され、ＲＳ２３２Ｃ端子７には他の液晶プロジェクタと接続されている。
【００１４】
図２は本発明の実施例である液晶プロジェクタのブロック図を示している。
【００１５】
画像入力部５１は、画像入力端子５を備える画像入力インターフェースであり、画像出力装置４から各種形式の画像信号が入力される。画像入力部５１は、入力された画像信号を画像処理部５２へ出力する。
【００１６】
画像処理部５２は、色補正処理、ガンマ補正処理、解像度変換処理、スケーリング処理等の各種処理を行う。画像処理部５２は、これらの処理が施された画像信号を液晶駆動回路５３へ出力する。
【００１７】
液晶駆動部５３は、入力された画像信号に基づいて液晶パネル５４を駆動する。なお、液晶パネル５４は透過型でも反射型でもよい。また本実施例では、液晶パネルを用いたプロジェクタについて説明するが、デジタルマイクロミラーデバイス等の他の表示素子を用いてもよい。
【００１８】
一方、光源であるランプ６２からの光が光学系（図示せず）によって液晶パネル５４に導かれる。液晶パネル５４に導かれた光は画像変調され、投射レンズ６１によりスクリーン２へ投射されることで画像として表示される。
【００１９】
ネットワーク通信部５７は、ネットワーク接続端子６を備える通信インターフェースであり、制御部５９は、ネットワーク通信部５７を介してネットワーク３に接続された外部の装置と通信することができる。
【００２０】
シリアル通信部５５は、ＲＳ２３２Ｃ端子７を備えるＲＳ２３２Ｃインターフェースであり、制御部５９は、シリアル通信部５５を介して接続された他の液晶プロジェクタと通信することができる。
【００２１】
接続検出部５６は、シリアル通信部５５にＲＳ２３２Ｃコネクタが接続されたことを電気的または機械的に検出し、制御部５９へ出力する。
【００２２】
リモコン受信部５８は、ユーザのリモコン操作信号を受信し、制御部５９へリモコン操作信号を出力する。
【００２３】
操作部６０は、ユーザが液晶プロジェクタの各種操作を行うためのボタンを複数備えており、ユーザの操作に応じて操作信号を制御部５９へ出力する。
【００２４】
ユーザは操作部６０から待機状態設定を行うことができる。なお待機状態設定は、ネットワーク通信を利用した方法でもシリアル通信を利用した方法でもリモコン操作を利用した方法でもその他の方法でも構わない。
【００２５】
さらに記憶部として、ＥＥＰＲＯＭやフラッシュメモリなどの不揮発性メモリを備え、不揮発性メモリに保存してある待機状態設定を読み出して待機状態を設定しても良い。
【００２６】
設定可能な待機状態として、ネットワーク通信部５７やリモコン受信部６０をＥｎａｂｌｅした通常待機状態と、ネットワーク通信部５７やリモコン受信部６０をＤｉｓａｂｌｅした省電力待機状態がある。なお、設定できる待機状態はこれ以外にもいくつあっても良い。
【００２７】
制御部５９は、ＣＰＵ（Ｃｅｎｔｒａｌ  Ｐｒｏｃｅｓｓｉｎｇ  Ｍｅｍｏｒｙ）やＲＡＭ（Ｒａｎｄｏｍ  Ａｃｃｅｓｓ  Ｍｅｍｏｒｙ）を備え、画像処理部５２や液晶駆動部５３、ネットワーク通信部５７、シリアル通信部５５などと接続されており、液晶プロジェクタの動作を統括制御する。
【００２８】
また制御部５９は、ネットワーク通信部５７やリモコン受信部５８のＥｎａｂｌｅ／Ｄｉｓａｂｌｅ制御を行う。なおＥｎａｂｌｅ／Ｄｉｓａｂｌｅ制御だけでなく、ネットワーク通信部５７やリモコン受信部５８の電源系統のＯＮ／ＯＦＦ制御を行っても良い。
【００２９】
さらに制御部５９は、シリアル通信部５５を介して接続された他のプロジェクタを認証する機能を備えても良い。
【００３０】
図３は本発明の実施例である液晶プロジェクタの動作を示すフローチャートを示している。
【００３１】
図３に示すようにステップＳ１０１では、液晶プロジェクタが待機中であるか否かを判断する。この結果、待機中である場合は、ステップＳ１０２に移行し、待機中でない場合は、フローを終了させる。
【００３２】
ステップＳ１０２に移行した場合には、制御部は、シリアル通信部にＲＳ２３２Ｃコネクタが接続されているか否かを判断する。この結果、接続されている場合には、ステップＳ１０３に移行し、接続されていない場合には、ステップＳ１０５に移行する。
【００３３】
ステップＳ１０３に移行した場合には、制御部は、待機状態設定が省電力待機状態設定であるか否か判断する。この結果、省電力待機状態設定である場合には、ステップＳ１０４に移行し、省電力待機状態設定でない場合には、ステップＳ１０５に移行する。
【００３４】
ステップＳ１０４に移行した場合には、ネットワーク部やリモコン受信部をＤｉｓａｂｌｅにし、フローを終了させる。
【００３５】
ステップＳ１０５に移行した場合には、ネットワーク部やリモコン受信部をＥｎａｂｌｅにし、フローを終了させる。
【符号の説明】
【００３６】
１・・・液晶プロジェクタ、２・・・スクリーン、３・・・ネットワーク、４・・・画像出力装置、５・・・画像入力端子、６・・・ネットワーク接続端子、７・・・ＲＳ２３２Ｃ端子、５１・・・画像入力部、５２・・・画像処理部、５３・・・液晶駆動部、５４・・・液晶パネル、５５・・・シリアル通信部、５６・・・接続検出部、５７・・・ネットワーク通信部、５８・・・リモコン受信部、５９・・・制御部、６０・・・操作部、６１・・・投射レンズ、６２・・・ランプ
【図１】
2014021415.tif 000003
【図２】
2014021415.tif 000004
【図３】
2014021415.tif 000005